(57)【要約】【課題】  堆、厩肥を散布する肥料散布機によって粉、粒体の肥料を散布する形態では、散布口から前方へ拡散放出される肥料が風によって吹き飛ばされ易く、目的位置への散布が困難で、作業者に飛散して不衛生となり易い。【解決手段】  拡散羽根１の回転により肥料を散布させる散布口２の前側上部にシート支枠３を設け、このシート支枠３には、これら散布口２の前上部及び外周部を覆うシートカバー４を支持させることを特徴とする肥料散布機の散布カバー。【選択図】図１
2006197805.tif 000002
【特許請求の範囲】
【請求項１】
拡散羽根（１）の回転により肥料を散布させる散布口（２）の前側上部にシート支枠（３）を設け、このシート支枠（３）には、これら散布口（２）の前上部及び外周部を覆うシートカバー（４）を支持させることを特徴とする肥料散布機の散布カバー。
【請求項２】
前記シート支枠（３）は散布口（２）上方部に折畳収納可能に設けたことを特徴とする請求項１に記載の肥料散布機の散布カバー。
【発明の詳細な説明】
【技術分野】
【０００１】
堆、厩肥や、粉粒肥料等を圃場面に拡散、散布する肥料散布機において、強風時等でも散布口から圃場面へ広く拡散して、的確な肥料散布を行わせる散布カバーに関する。
【背景技術】
【０００２】
堆、厩肥を散布する肥料散布機の散布口の上側部を覆うビータカバーや、散布口の左右両側部を覆うサイドカバー等を設ける技術（例えば、特許文献１，２参照）が知られている。
【特許文献１】特開第２９１２０６０号公報（第３項、図２）
【特許文献２】実公平７−５１８５０号公報（第３項、図３）
【発明の開示】
【発明が解決しようとする課題】
【０００３】
堆、厩肥を散布する肥料散布機によって粉、粒体の肥料を散布する形態では、散布口から前方へ拡散放出される肥料が風によって吹き飛ばされ易く、目的位置への散布が困難で、作業者に飛散して不衛生となり易い。
【課題を解決するための手段】
【０００４】
請求項１に記載の発明は、拡散羽根１の回転により肥料を散布させる散布口２の前側上部にシート支枠３を設け、このシート支枠３には、これら散布口２の前上部及び外周部を覆うシートカバー４を支持させることを特徴とする肥料散布機の散布カバーの構成とする。肥料散布機は拡散羽根１の回転によって、ホッパーから繰出される肥料が散布口２を前方へ拡散放出されて、前方へ左右広域幅にわたって飛散される。このとき散布肥料が風の影響を受け易いときは、シートカバー４を散布口２の前側上部に取付ける。散布口２の前側上部にシート支枠３を取付けて、このシート支枠３にシートカバー４を取付けて、散布口２の前側上部及び外周部を散布域にわたって覆う。散布口２から前方へ排出される肥料はこのシートカバー４内域に案内されて、所定の散布域内に散布される。例え、強風が吹いても、風がシートカバー４内に通り難く、直接散布口２に当ることも少く、シートカバー４の上側部や外周部への肥料飛散を防止する。
請求項２に記載の発明は、前記シート支枠３は散布口２上方部に折畳収納可能に設けたことを特徴とする請求項１に記載の肥料散布機の散布カバーを特徴とするものである。シートカバー４を取付けるときは、散布口２の上方部に収納されているシート支枠３を開いて、散布口２の前側上部に位置させ、このシート支枠３にシートカバー４を取付けて、散布口２の前側上部を覆う。又、このシートカバー４を不要とするときは、シート支枠３を折畳んで散布口２の上部に収納保持させる。
【発明の効果】
【０００５】
請求項１に記載の発明は、散布口２の前側上部から外周部をシートカバー４で覆うため、シート支枠３によって広域にわたって、シートカバー４を被覆させることができ、シートカバー４内への通風や、散布口２部への直接の風当りを防止して、散布肥料の上方乃至外方への飛散を少くして、的確な肥料散布を行わせると共に、衛生的な散布作業を行うことができる。
請求項２に記載の発明は、シート支枠３を散布口２の上側部に収納支持させているため、シートカバー４使用時の取出、シートカバー４不使用時の収納を簡単、容易に行わせることができ、収納状態においても邪魔にならない形態とすることができる。
【発明を実施するための最良の形態】
【０００６】
図面に基づいて、肥料散布機の概要構成は、左右一対のクローラ８を有する車台９上前部に、肥料を収容するホッパー１０や、繰出ロータ１１，１２及び拡散羽根１等からなる散布装置１３を設け、この後部に伝動機構１４、エンジン１５、及びハンドル１６等を設けて、このハンドル１６の把持操作により前進走行しながら、拡散羽根１の回転により散布口２から前方へ肥料を拡散散布させる。ホッパー１０は、左右両側壁１７部と前壁１８部と後壁１９部を有する。これら前壁１８は、前側へ水平状に回動させて開くことができ、前側から肥料の供給を容易に行わせる。又、後壁１９はハンドル２０を有して、前後に揺動させて肥料の繰出流下を円滑に行わせることができる。このホッパー１７内には、底部の繰出口２１上に繰出ロータ１１を軸２２装し、更にこの上方で傾斜の緩い後壁１９側上に上部繰出ロータ１２を軸２３装する。
【０００７】
前記ホッパー１０の底部繰出口２１は、左右の側壁１７間のホッパー幅にわたって広く形成されて、繰出ロータ１１によって繰出される肥料を下側の拡散羽根１の回転する拡散室２６内に流下することができる。又、この繰出口２１には前後動して開閉するシャッター２７が設けられて、ハンドル１６部の操作レバー２８によって、連動ロッド２９、及びリンク機構３０等を経て開閉される。拡散室２６には、左右一対の拡散羽根１が上下方向の拡散軸３１の周りに回転連動される。この拡散室２６の前側に散布口２が形成される。この拡散羽根１の回転により、繰出口２１から繰出される肥料を受けて散布口２から前方へ放出させて散布させる。この散布口２の中央部には肥料を左右両側へ案内する分岐板３２を設け、散布口２の両側前方には、サイドガイド板３３が設けられる。ホッパー１０の前壁１８、及び後壁１９の内面にはゴムマット３４，３５が敷設されて、肥料の繰出を円滑に行わせる。
【０００８】
この散布口２の前方にシートカバー４を設ける。このシートカバー４は合成樹脂製シートのような軽薄シートであるため、細材からなるシート支枠３によって支持、乃至吊持させる構成とする。シート支枠３は、針金材で軽量に構成され、散布幅にわたって幅広く形成される。又、ホッパー１０の前壁１８部に沿って折畳収納される。略散布口２幅の方形状に形成されるセンタフレーム３８と、この左右両側に折畳回動可能に形成されるサイドフレーム３９とを主体として、ホッパー１０の前側に吊下フレーム４０、鎖４１、及びワイヤー４２等を介して吊下げる。このサイドフレーム３９の内辺部は蝶番４３によって内側へ折畳回動可能に連結され、後辺部は散布口両側部から前方外側にわたるように傾斜させている。センタフレーム３８の後端左右両部にはフック４４を設けて、ホッパー１０の側壁１８面のピン４５に係合させて取付けることができる。このセンタフレーム３８の前辺部にはソケット４６を設け、前記吊下フレーム４０のエルボ部４７を嵌合させて、ヘアピン等で抜止め構成する。この吊下フレーム４０の先端左右両側部には鎖４１を係合連結するフック４８を設ける。サイドフレーム３９の前辺部には、前記ワイヤー４２のフック４９を係合するフック穴５０を複数形成のフックブラケット５１を設ける。このフック穴５０にフック４９を掛け替えてワイヤー４２の張りを調節することができる。
【０００９】
前記鎖４１、及びワイヤー４２のホッパー１０に対する取付構成は、前壁１８の閉鎖位置を固定するロックハンドル５２のロックレバー５３を利用して、着脱可能に構成している。ロックハンドル５２は、側壁１７の左右外側前端縁部に固定のロックブラケット５４の穴５５に、ロックバー５３部を挿通して、回動及び左右に摺動自在に支持する。このロックバー５３の外側端部にはストッパナット５６を螺合させて、内側への移動位置を停止することができる。更に、このロックバー５３の外側端部には直結プレート５７の穴５８を嵌合させて、外側からナット５９を螺合して抜止めする。前壁１８は下端部を側壁１７の後端下部の支軸６０の周りに前後に回動させて開閉することができるが、この前壁１８の前面左右両側端縁部には、該ロックバー５３に対向する位置に切欠部６１を形成するロックプレート６２を固定している。左右のロックハンドル５２を外側へ移動させた状態で、前壁１８を前後に回動して開閉することができる。前壁１８を閉鎖させてロックするときは、この前壁１８を閉めてロックプレート６２をロックブラケット５４の真横に合せて、ロックハンドル５２を切欠部６１に合せて内側へ移動させる。このロックバー５３の移動がストッパナット５６でロックブラケット５４に停止された状態で、このロックハンドル５２を前側下方へ回動することによって前壁１８の前倒れを阻止して、閉鎖固定状態となる。
【００１０】
このようなロックハンドル５２に対して前記鎖４１を連結するには、この鎖４１の先端部６３をロックブラケット５４の外側辺部に嵌合させてから、ロックバー５３を穴５５に挿通して抜止めする。又、前記このロックバー５３の外側端部に嵌合する連結プレート５７には、ピン穴６４が形成されて、前記ワイヤー４２の先端部のエルボ状ピン６５を嵌合させて、ヘアピン６６で抜止めする。
【００１１】
シートカバー４は、合成樹脂製シート状に薄い形態で、シート支枠３の上面に嵌合する広さ形状の上面部７０と、この外周部を覆う前周面部７１、左右側周面部７２、及び散布口２に対向する開口部７３の左右両側に位置する後周面部７４等から形成される。この上面部７０の前端部には、前記シート支枠３のソケット４６や、フックブラケット５１に嵌合させるシート穴７５，７６を形成し、このシートカバー４をシート支枠３上に嵌合させた状態で、これらソケット４６やフックブラケット５１等をシート穴７５，７６から上側へ突出させることができ、これらソケット４６に対する吊下フレーム４０の取付けや、フックブラケット５１に対するワイヤー４２、フック４９の取付けを可能とする。このシートカバー４の各周面部７１，７２，７４の下端縁には針金状の重鍾７７を一体的に取付けて、強風等によって上方へ吹き上げられないように構成している。
【００１２】
前記シートカバー３を被覆するときは、センタフレーム３８に対してサイドフレーム３９を外側へ開いた状態で、上側からシートカバー３を嵌合させる。このシートカバー３のソケット４６やフックブラケット５１をシート穴７５，７６に嵌合させて、上側に突出させる。このソケット４６には吊下フレーム４０のエルボ部４７を差込んで抜止めする。又、フックブラケット５１のフック穴５０にはワイヤー４２のフック４９を係合する。吊下フレーム４０をセンタフレーム３８部上側に回動位置させて、この左右両端のフック４８を前記ロックバー５３に係合させた鎖４１の前端部に係合させる。この鎖４１の張りによってセンタフレーム３８は吊上げられて、散布口２の前側上側部に沿って水平状態になる。ここで、前記ロックバー５３に連結されたワイヤー４２の先端部のフック４９を、サイドフレーム３９のフックブラケット５１に係合させることによって、このサイドフレーム３９をセンタフレーム３８の左右延長面に吊上げて維持することができる。このようにシートカバー４を吊上げると、周部の前周面部７１や、側周面７２、及び後周面部７４は、重鍾７７によって垂下状態になり、下端縁部が略散布口２の下端部乃至これよりも下位に垂れ下る。このようにシートカバー４を被覆した形態で肥料の散布作業を行うときは、拡散羽根１の回転によって散布口２から前方へ排出される肥料は、このシートカバー４の開口部７３から上面部７０や各周面部７１，７２，７４で覆われる領域内に放出拡散されて、下側の走行圃場面に散布される。各周面部７１，７２，７４の下端縁は土壌面に接近するため、このシートカバー４の外部への肥料飛散を阻止する。又、強風時においてもこのシートカバー４内への吸込みが少く、肥料の散布を的確に円滑に行わせることができる。又、前記シート支枠３８は、鎖４１と、外側前方に開くように張設されるワイヤー４２とで吊持されるため、車体揺動等によっても振動することが少く、安定した姿勢に支持される。
【００１３】
このシート支枠３を折畳収納するときは、吊下フレーム４０をソケット４６及び鎖４１から外して、シートカバー４を取付けたままの状態で、サイドフレーム３９を蝶番４３の周りに上側へ折畳回動Ａ，Ｂさせて、センタフレーム３８部上に重合させる。シートカバー４の上面部７０や、周面部７１，７２，７４等の一部を折畳重合させた形態として、フックピン４５の周りに上方へ回動させて、前壁１８の前面に沿わせることができる。このシートカバー３のシート穴７５をソケット４６から外して、折畳状態のセンタフレーム３８の下側に吊下フレーム４０を重ねて、このエルボ部４７をソケット４６部に差込む。この状態の吊下フレーム４０のフック４８に鎖４１の中間部を付替係合させて保持させる。又、この吊下フレーム４０は折畳んだシート支枠３と前壁１８との間に挟み込んで保持させて、鎖４１をセンタフレーム３８の左右両側辺部に巻掛けるようにして通し、この鎖４の先端部８１を前記ロックブラケット５４上端に突出のフック８０等に係合させて保持させる。又、このようなシート枠３の折畳収納は、前記シートカバー４を別に取外した状態として同様にして折畳収納させるように構成することもできる。
【００１４】
更には、前記センタフレーム３８の取付けを前壁１８部に直接取付ける形態（図５参照）とすることもできる。センタフレーム３８の前記フック４４に代えるエルボ部８２を嵌合保持させるソケット８３が前壁１８の下部左右両側部に設けられる。
【図面の簡単な説明】
【００１５】
【図１】シート支枠、及びシートカバー部の斜視図。
【図２】シート支枠部の斜視図。
【図３】シートカバー部の斜視図。
【図４】ロックハンドル部の斜視図。
【図５】センタフレーム取付部の別実施形態を示す斜視図。
【図６】肥料散布機の側面図。
【図７】その平面図。
【符号の説明】
【００１６】
１    拡散羽根
２    散布口
３    シート支枠
４    シートカバー
【図１】
2006197805.tif 000003
【図２】
2006197805.tif 000004
【図３】
2006197805.tif 000005
【図４】
2006197805.tif 000006
【図５】
2006197805.tif 000007
【図６】
2006197805.tif 000008
【図７】
2006197805.tif 000009